(57)【要約】      （修正有）【課題】軽量化と堅牢維持との両方を達成し、構成部品を低減することにより、製造工程の簡略化を図る壁紙糊付機脚部構造を提供する。【解決手段】糊付機本体１を載置する台座部１５と、この台座部の両側部の各々に回動可能に支持された脚部２１，２２とを備えた壁紙糊付機脚部構造において、台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、ヒンジ部として、脚部の上端部に備えられたヒンジ軸９３と、台座側部に備えられたヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備える。【選択図】図１
0003164110.tif 000002
【実用新案登録請求の範囲】
【請求項１】
糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備えたことを特徴とする壁紙糊付機脚部構造。
【請求項２】
糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備え、
前記台座側部には、前記台座部を構成する前枠材及び後枠材の下面を支持する支持材が互いに向かい合う方向に延設されていることを特徴とする壁紙糊付機脚部構造。
【請求項３】
糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備え、
前記台座側部には、
互いに向かい合う方向に延設され、前記台座部を構成する前枠材及び後枠材の下面を支持する支持材と、
台座側部に平行に下方に延設され、カットテープ取付け芯棒の取付け部とを備えていることを特徴とする壁紙糊付機脚部構造。
【請求項４】
糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備え、
前記台座側部には、
互いに向かい合う方向に延設され、前記台座部を構成する前枠材及び後枠材の下面を支持する支持材と、
台座側部に平行に下方に延設され、カットテープ取付け芯棒の取付け部と、
台座側部の後側面の対向位置に形成され、第１テンションバーの端部を取り外し可能に各々保持する取付け部とを備えていることを特徴とする壁紙糊付機脚部構造。
【考案の詳細な説明】
【技術分野】
【０００１】
本考案は、室内壁面等に貼付されるシート状壁装材の裏面に、連続的に糊を塗布する壁紙糊付機に関するものであり、特に、軽量化を実現した脚部の構造に関するものである。
【背景技術】
【０００２】
現在、建築物の内装施工における壁装材の室内壁面への貼付は、現場で専用の壁紙糊付機を用いてシート状の壁装材（以下、単に「クロス」とも記す）に連続的に糊を塗布しながら行うのが一般的となっている。
【０００３】
このような一般的な壁紙糊付機としては、互いに接続された上部構体と下部構体のそれぞれに配設した複数のローラによってクロスを上部構体と下部構体との間に後面から前面に引き入れ、各種ローラによりクロスを所定の経路に沿って移動させながら、下部構体内の糊桶内の糊をクロスの裏面に連続的に転写するものが提案されており（例えば、特許文献１参照）、種々の壁紙糊付機が既に市販されている。
【０００４】
より一般的な構成としては、ロール状に巻かれたクロスを懸架する台と糊付け後のクロスを受けるクロス受けとの間に糊桶を備えた下部構体と上部構体とを配置し、内部に複数のローラが配置された上部構体及び下部構体から構成される糊付機本体を支持脚部上に載置し、上下構体の間に挟み込んだクロスをローラで搬送しながら、下部構体の糊桶から糊をローラで糊上げ、クロス裏面に糊を転写塗布していくものである。
【０００５】
具体的には、下部構体上に原反ロールから繰り出したクロスを先端部が本体前方に垂れる状態で載置して上部構体を閉じて下部構体と上部構体の所定ローラ間にクロスを挟み込んだ状態にしておき、クロス裏面に糊を転写塗布していく。
【０００６】
このような壁紙糊付機には手動式と自動式とがある。即ち、手動式装置では作業者がクロス先端を持って前方へ引っ張ることにより、糊が裏面に転写され、糊塗布済み状態で前方から送り出されてくる。また、自動式壁紙糊付機では、所定のローラの軸を駆動源である電動モータの回転軸に連結して回転させることによって、他のローラもギアを介して連動回転するものである。
【先行技術文献】
【特許文献】
【０００７】
【特許文献１】実開平６−８１８００号公報
【考案の概要】
【考案が解決しようとする課題】
【０００８】
ところで、このような壁紙糊付機では、脚部に移動用のキャスターが備わっているが、足場の悪い作業現場もあり、内装施工現場まで一人又は複数人の作業者が持ち上げて搬送することもある。そのため、壁紙糊付機は軽量化が図られるが、堅牢性も兼ね備えていなければならない。
【０００９】
本考案は、軽量化と堅牢維持との両方を達成し、構成部品を低減することにより、製造工程の簡略化を図る壁紙糊付機脚部構造を得ることを目的とする。
【課題を解決するための手段】
【００１０】
請求項１に記載された考案に係る壁紙糊付機脚部構造は、糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備えたことを特徴とするものである。
【００１１】
請求項２に記載された考案に係る壁紙糊付機脚部構造は、糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備え、
前記台座側部には、前記台座部を構成する前枠材及び後枠材の下面を支持する支持材が互いに向かい合う方向に延設されていることを特徴とするものである。
【００１２】
請求項３に記載された考案に係る壁紙糊付機脚部構造は、糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備え、
前記台座側部には、
互いに向かい合う方向に延設され、前記台座部を構成する前枠材及び後枠材の下面を支持する支持材と、
台座側部に平行に下方に延設され、カットテープ取付け芯棒の取付け部とを備えていることを特徴とするものである。
【００１３】
請求項４に記載された考案に係る壁紙糊付機脚部構造は、糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備え、
前記ヒンジ部として、脚部の上端部に備えられたヒンジ軸と、台座側部に備えられた前記ヒンジ軸を軸支する軸支部と、台座側部の軸支部の近傍に備えられた脚部のヒンジ軸を中心とする立脚位置以外への回動を規制する第１規制手段と、閉脚位置以外への回動を規制する第２規制手段とを備え、
前記台座側部には、
互いに向かい合う方向に延設され、前記台座部を構成する前枠材及び後枠材の下面を支持する支持材と、
台座側部に平行に下方に延設され、カットテープ取付け芯棒の取付け部と、
台座側部の後側面の対向位置に形成され、第１テンションバーの端部を取り外し可能に各々保持する取付け部とを備えていることを特徴とするものである。
【考案の効果】
【００１４】
本考案は、軽量化と堅牢維持との両方を達成し、構成部品を低減することにより、製造工程の簡略化を図る壁紙糊付機脚部構造を得ることができるという効果がある。
【図面の簡単な説明】
【００１５】
【図１】本考案の一実施例の壁紙糊付機の側面図である。
【図２】図１の壁紙糊付機の本体内部構成を示す説明図である。
【図３】図１の壁紙糊付機の台座部を含む脚部の構成を示す斜視図である。
【図４】図３の脚部のヒンジ部材を示す説明図である。
【図５】図４のヒンジ部材の別の角度からの説明図である。
【図６】図３の脚部を含む側脚部の正面図であり、ａ図は要部の拡大図を含む正面図であり、ｂ図は要部の動作を示す説明図である。
【考案を実施するための形態】
【００１６】
本考案においては、糊付機本体の後部から引き入れたシート状壁装材を複数のローラで前方へ送り出しながら本体内の糊桶に収容されている糊を糊付けローラで前記壁装材の裏面に塗布することによって連続的に糊を塗布する壁紙糊付機本体を支持する脚部構造であって、
糊付機本体を載置する台座部と、この台座部の両側部の各々に回動可能に支持された脚部とを備えた壁紙糊付機脚部構造において、
前記台座部を構成する側枠材と、脚部の上端と結合して脚部を略水平状態に保持する閉脚状態と脚部を略垂直状態に保持する立脚状態との２つの脚部状態を保持するヒンジ部とが一体成形された台座側部を両側部に備える。
【００１７】
本考案の壁紙糊付機としては、糊付機本体の後部から引き入れたシート状壁装材を複数のローラで前方へ送り出しながら本体内の糊桶に収容されている糊を糊付けローラで前記壁装材の裏面に塗布することによって連続的に糊を塗布するものであり、複数のローラの駆動は手動であってもモータによる駆動であっても良い。
【００１８】
本考案の壁紙糊付機脚部構造は、糊付機本体を載置する台座部と、この台座部の両側部の各々に回動可能に支持された脚部とを備えるものであればよく、更には、脚部が略水平状態に保持される閉脚状態と略垂直状態に保持される立脚状態との２つの状態を保持可能なヒンジ機構を備える。
【００１９】
本考案の台座側部は、台座部を構成する側枠材と、脚部の上端と結合して脚部を略水平状態に保持する閉脚状態と脚部を略垂直状態に保持する立脚状態との２つの脚部状態を保持するヒンジ部とが一体成形される。これにより、軽量化と堅牢維持との両方を達成することができる。また、構成部品を低減することにより、製造工程の簡略化を図ることも可能となる。
【００２０】
本考案のヒンジ部の具体的な構造としては、脚部を略水平状態に保持する閉脚状態と略垂直状態に保持する立脚状態との２つの状態を保持可能な構造であればよい。好ましくは、脚部の上端部に備えられたヒンジ軸と、台座側部に備えられた前記ヒンジ軸を軸支する軸支部とを備え、台座側部の軸支部の近傍に備えられた脚部のヒンジ軸を中心とする立脚位置以外への回動を規制する第１規制手段と、閉脚位置以外への回動を規制する第２規制手段とを備える。
【００２１】
本考案の台座部を構成する側枠材と前記ヒンジ部とが一体成形された台座側部は、堅牢性と軽量化との２つの特性を兼ね備えること考慮して、好ましくは、スチール製ではなくアルミ合金製、マグネシウム合金製とする。
【００２２】
本考案の台座側部は、好ましくは、前記台座部を構成する前枠材及び後枠材の下面を支持する支持材が互いに向かい合う方向に延設されている。また好ましくは、台座側部に平行に下方に延設され、カットテープ取付け芯棒の取付け部を備えている。更に好ましくは台座側部の後側面の対向位置に形成され、第１テンションバーの端部を取り外し可能に各々保持する取付け部を備えている。
【実施例】
【００２３】
１．全体構成
図１は本考案の一実施例の壁紙糊付機の側面図である。図２は図１の壁紙糊付機の本体内部構成を示す説明図である。図１、図２に示す通り、本実施例の壁紙糊付機は、糊付機本体１と、この糊付機本体１を載置する台座部１５と、糊付機本体１を所定高さで支持するために台座部１５の左右両端下部にそれぞれ前後に二本一対で配される前脚２１と後脚２２とで構成される脚部２とを備える。また、本体１と台座部１５とは、糊付機本体１５の両側壁下方の２箇所のフックに各々掛止されるパチン錠１６で固定される。
【００２４】
台座部１５と一対の脚部２とには、左右の脚部２同士が対向するように折りたたみ可能な折りたたみ機構が備わっており、台座部１５と脚部２との折りたたみ部位には台座側部９が備わっている。尚、この台座側部９の最下部は折りたたみ時に接地する接地部２４が形成されている。
【００２５】
糊付機本体１は、糊桶５を主とする下部構体３とその上に開閉可能に載置される上部構体４とによって構成される。一方の側板１１の下部構体３にはコントローラ８が装着され、下部構体３の後面側には着脱可能なスリッター７が配され、上部構体４はこの下部構体３の上部を覆うように配されている。
【００２６】
図２に示す通り、コントローラ８内の駆動源（図示せず）の駆動軸による糊付けローラ３１の回転に伴って、ギアを介して回転運動が伝達された他のローラも回転し、上下部構体３，４間に挟み込まれているロールＲから一端が解けたクロスＣを後方から前方へ搬送し、その途中で糊付けローラ３１上を搬送される際に糊桶５から引き上げられた糊がクロス裏面に塗布塗布される。
【００２７】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に塗布する。
【００２８】
糊付けローラ３１は、糊付機本体１に着脱自在に取付けられる駆動源である電動モータを備えたコントローラ８の駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００２９】
均しローラ３４には、図３に示す通り、均しローラ３４を介して送られて来る糊付済のクロスＣを糊付機本体１の前面に案内するための複数個のツメ５３が長手方向にほぼ均等に装着されたツメステー５４が、両端に配された装着具（図示せず）を介して取付けられている。
【００３０】
尚、壁紙糊付機の両側部には、ドクターローラ３３の回動軸に偏心して固定された偏心ギアを駆動するレバー３９を備え、このレバー３９により偏心ギアによって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３１】
左右一対の脚部２には、クロス受けブラケット４５が回動自在に配されており、クロス受けブラケット４５の先端部には、原反ロールＲの中心に通されたクロス芯棒４６が軸支されている。
【００３２】
原反ロールＲから繰り出される壁装材（クロス）Ｃは、後脚２２間に渡された脚部テンションバー６８と、スリッター７の下方に設置された第１テンションバー（不図示）と第２テンションバー（不図示）とを備えたテンションバー群６３で曲折されながら、スリッター７に搬送され、クロスの両側部が切断される。
【００３３】
２．脚部構造
図３は図１の壁紙糊付機の台座部を含む脚部の構成を示す斜視図である。図４は図３の脚部のヒンジ部材を示す説明図である。図５は図４のヒンジ部材の別の角度からの説明図である。図６は図３の脚部を含む側脚部の正面図であり、ａ図は要部の拡大図を含む正面図であり、ｂ図は要部の動作を示す説明図である。
【００３４】
図３に示す通り、糊付機本体１が載置される台座部１５は、前枠材１７、後枠材１８及び左右の側枠材９１を組み合わせた枠体構造からなる。糊付機本体１を所定高さで支持する脚部２は、台座部１５の左右の各々の側枠材９１の下面側に前後に二本一対で配される前脚２１と後脚２２とで構成される。
【００３５】
図４，５に示す通り、図３の前脚２１及び後脚２２の上端部と係合する台座側部９の前後壁面及び側枠材９１の下方に伸びた一対の下垂片９４の側枠材９１と平行な位置には、同一軸線上に軸孔９２が形成されている。前脚２１及び後脚２２に対応する各々の軸孔９２には、各々ヒンジ軸９３で台座側部９の側枠材９１の下面側に取付けられている。
【００３６】
図６に示す通り、脚部２の上端部の軸孔９２と台座側部９の軸孔９２とにヒンジ軸９３が貫通され、ヒンジ軸９３を中心に回動可能に固定されている。脚部２は略水平状態に保持される閉脚状態と、略垂直状態に保持される立脚状態との２つの脚部状態の間で回動される。閉脚状態と立脚状態とを保持する掛止機構としては、脚部２の上端部と、丸棒状のストッパー２５との掛止によって成される。
【００３７】
図６のｂ図に示す通り、ストッパー２５は台座側部９の側枠材９１の下方に伸びた一対の下垂片９４に形成されたストッパーガイドとしての長孔９５に横架される。ストッパー２５はバネ２６によって常に下方に付勢している。このストッパー２５は、閉脚状態では脚部２の前脚２１及び後脚２２の各々の上端部の側壁に内側に突設された略三角形状の掛止部２３の下辺部に掛止して脚部２の回動を阻止する。
【００３８】
また、ストッパー２５は、開脚状態では脚部２上端部の外側壁面に掛止して脚部の回動を阻止する。閉脚状態から開脚状態への移行はストッパー２５を握って長孔９５に沿って上方に移動させ、ストッパー２５による掛止を解除し、その間に脚部２を回動させ開脚状態へ移行する。その後、ストッパー２５を離して長孔９５に沿って下方に移動させ、ストッパー２５の脚部２上端部の外側壁面への掛止を行う。
【００３９】
開脚状態から閉脚状態への移行も、同様に、ストッパー２５を握って長孔９５に沿って上方に移動させ、ストッパー２５による掛止を解除し、その間に脚部２を回動させ閉脚状態へ移行する。その後、ストッパー２５を離して長孔９５に沿って下方に移動させ、ストッパー２５の脚部２の掛止部２３の下辺部への掛止を行う。
【００４０】
また、台座側部９の前後には、前枠材１７、後枠材１８の下面を支持する支持材９６が形成され、台座側部９の側枠材９１の下方には、カットテープ取付け芯棒の取付け部９７が形成され、台座側部９の後面側には、第１テンションバーの端部を取り外し可能に各々保持する取付け部９８が形成されている。
【００４１】
以上のように、側枠材９１、下垂片９４、支持材９６、カットテープ取付け芯棒の取付け部９７、第１テンションバーの端部の取付け部９８、及び前後壁面と側壁面とが一体となった台座側部９であるため、軽量化と堅牢維持との両方を達成し、構成部品を低減することができる。
【符号の説明】
【００４２】
１…糊付機本体、
１１…側板、
１５…台座部、
１６…パチン錠、
１７…前枠材、
１８…後枠材、
２…脚部、
２１…前脚、
２２…後脚、
２３…掛止部、
２４…接地部、
２５…ストッパー
２６…バネ、
３…下部構体、
３１…糊付けローラ、
３２…下ピンチローラ、
３３…ドクターローラ、
３４…均しローラ、
３９…レバー、
４…上部構体、
４１…上ピンチローラ、
４２…押さえローラ、
４３…ドライブローラ、
４５…クロス受けブラケット、
４６…クロス芯棒、
５…糊桶、
５１…糊上げローラ、
５３…ツメ
５４…ツメステー
６３…テンションバー群、
６８…脚部テンションバー、
７…スリッター、
８…コントローラ、
９…台座側部、
９１…側枠材、
９２…軸孔、
９３…ヒンジ軸、
９４…下垂片、
９５…長孔、
９６…支持材、
９７…カットテープ取付け芯棒の取付け部、
９８…第１テンションバーの端部の取付け部、
Ｒ…原反ロール、
Ｃ…クロス、
【図１】
0003164110.tif 000003
【図２】
0003164110.tif 000004
【図３】
0003164110.tif 000005
【図４】
0003164110.tif 000006
【図５】
0003164110.tif 000007
【図６】
0003164110.tif 000008